(57)【要約】【課題】  在庫管理が簡単でかつ着脱が容易に行える衣類用ハンガーのアタッチメント及び衣類用ハンガーを提供する点にある。【解決手段】  左右一対の肩部３，３と、肩部３，３の下端同士をほぼ一直線状に連結する連結部４とからなるハンガー本体５と、ハンガー本体５に上方へ立設した首部６と、首部６の上端から上方へ突出するように設けられた吊り下げ用のフック７とからなる衣類用ハンガーにおいて、左右一対の肩部３，３及び首部６を覆うことにより肩部３，３の幅よりも大きな肩部を構成するためのカバー部材９をハンガー本体５に対して着脱自在に構成し、カバー部材９を、ハンガー本体５に対して上方から抱きつかせて保持可能となる左右一対の肩部用カバー部１０，１０と、肩部用カバー部同士を連結して首部６を覆って左右方向及び上下方向の位置決めを行う首部用カバー部１１とから構成した。【選択図】        図２
2006149968.tif 000002
【特許請求の範囲】
【請求項１】
左右一対の肩部と、これら肩部の左右両側の下端同士を連結する連結部とからなるハンガー本体と、このハンガー本体の左右方向ほぼ中央に上方へ立設した首部と、この首部の上端から上方へ突出するように設けられた吊り下げ用のフックとからなる衣類用ハンガーにおいて、前記左右一対の肩部及び首部を覆うことにより該肩部の前後方向の幅よりも大きな幅を有する肩部を構成するためのカバー部材を前記ハンガー本体に対して着脱自在に構成し、前記カバー部材を、前記ハンガー本体に対して上方から抱きつかせて保持可能となる左右一対の肩部用カバー部と、これら肩部用カバー部同士を連結して前記首部の少なくとも一部を覆って左右方向及び上下方向の位置決めを行うための首部用カバー部とから構成したことを特徴とする衣類用ハンガーのアタッチメント。
【請求項２】
前記首部の後面の左右両側の一部を覆うための後側部を前記首部用カバー部に備えさせてなる請求項１に記載の衣類用ハンガーのアタッチメント。
【請求項３】
前記カバー部材の肩部用カバー部の下端部分の前後方向の幅を、他の部分の前後方向の幅よりも幅広に構成してなる請求項１に記載の衣類用ハンガーのアタッチメント。
【請求項４】
前記カバー部材の首部用カバー部の前面に、カードを上方から挿入して係止保持可能な左右一対の係止部を備えさせてなる請求項１〜３のいずれかに記載の衣類用ハンガーのアタッチメント。
【請求項５】
左右一対の肩部と、これら肩部の左右両側の下端同士をほぼ一直線状に連結する連結部とからなるハンガー本体と、このハンガー本体の左右方向ほぼ中央に上方へ立設した首部と、この首部の上端から上方へ突出するように設けられた吊り下げ用のフックとからなる衣類用ハンガーにおいて、前記左右一対の肩部及び首部を覆うことにより該肩部の前後方向の幅よりも大きな幅を有する肩部を構成するためのカバー部材を前記ハンガー本体に対して着脱自在に構成し、前記カバー部材を、前記ハンガー本体の首部を通して上方から被せることができる開口部を左右方向ほぼ中央に備えさせ、かつ、被せた状態において該首部の下端部を前後方向及び左右方向から覆う環状の首部用カバー部と、この首部用カバー部の左右両端からそれぞれ肩部を少なくとも上方及び前後方向から覆う肩部用カバー部とから構成し、前記首部用カバー部の内側に該首部の前後面に接当して該首部用カバー部の前後方向の位置決めを行うためのガイド部を備えさせてなる衣類用ハンガーのアタッチメント。
【請求項６】
左右一対の肩部と、これら肩部の左右両側の下端同士を連結する連結部とからなるハンガー本体と、このハンガー本体の左右方向ほぼ中央に上方へ立設した首部と、この首部の上端から上方へ突出するように設けられた吊り下げ用のフックとからなる衣類用ハンガーにおいて、前記左右一対の肩部及び首部を覆うことにより該肩部の前後方向の幅よりも大きな幅を有する肩部を構成するためのカバー部材を前記ハンガー本体に対して着脱自在に設け、前記カバー部材を、前記ハンガー本体に対して上方から抱きつかせて保持可能となる左右一対の肩部用カバー部と、これら肩部用カバー部同士を連結して前記首部の一部を覆って左右方向及び上下方向の位置決めを行うための首部用カバー部とから構成したことを特徴とする衣類用ハンガー。
【発明の詳細な説明】
【技術分野】
【０００１】
本発明は、例えば運搬中には多くの衣類を運ぶことができながらも、店舗などに長時間展示しておく場合には、衣類の型崩れになることを防止するための衣類用ハンガーのアタッチメント及び衣類用ハンガーに関する。
【背景技術】
【０００２】
上記衣類用ハンガーは、衣類を吊り下げて運搬したり、店舗などに展示する場合に使用されている。そして、多くの衣類を効率よく運搬しようとすると、肩幅の狭い衣類用ハンガーを使用し、運搬後において店舗などに長時間展示する場合には、肩幅の広い衣類用ハンガーを用いることで衣類の型崩れを防止するようにしている。
しかしながら、２種類の衣類用ハンガーを備えさせることは、コスト面及び在庫面の両方において不利になることから、肩幅の狭い衣類用ハンガーの左右一対の肩部にそれぞれ肩パットを取り付けて肩部の幅を広くすることで、衣類の肩崩れを防止するようにしたものが提案されている（例えば、特許文献１参照）。
【特許文献１】特開２００１−１６９８９４号公報（図１、図２参照）
【発明の開示】
【発明が解決しようとする課題】
【０００３】
上記特許文献１では、１つの衣類用ハンガーに対して２つの肩パットを必要とすることから、２種類の肩パットの在庫管理が煩わしいだけでなく、２つの肩パットの取付作業が手間のかかる煩わしい作業になっていた。又、購入者によって衣類が購入されたときに、肩パットを取り外して購入者に衣類用ハンガーに掛けた状態の衣類を渡す場合においても、２つの肩パットを取り外す作業が煩わしいものであった。
【０００４】
本発明が前述の状況に鑑み、解決しようとするところは、在庫管理が簡単でかつ着脱が容易に行える衣類用ハンガーのアタッチメント及び衣類用ハンガーを提供する点にある。
【課題を解決するための手段】
【０００５】
本発明は、前述の課題解決のために、左右一対の肩部と、これら肩部の左右両側の下端同士を連結する連結部とからなるハンガー本体と、このハンガー本体の左右方向ほぼ中央に上方へ立設した首部と、この首部の上端から上方へ突出するように設けられた吊り下げ用のフックとからなる衣類用ハンガーにおいて、前記左右一対の肩部及び首部を覆うことにより該肩部の前後方向の幅よりも大きな幅を有する肩部を構成するためのカバー部材を前記ハンガー本体に対して着脱自在に構成し、前記カバー部材を、前記ハンガー本体に対して上方から抱きつかせて保持可能となる左右一対の肩部用カバー部と、これら肩部用カバー部同士を連結して前記首部の少なくとも一部を覆って左右方向及び上下方向の位置決めを行うための首部用カバー部とから構成したことを特徴とする衣類用ハンガーのアタッチメントである。又、左右一対の肩部と、これら肩部の左右両側の下端同士をほぼ一直線状に連結する連結部とからなるハンガー本体と、このハンガー本体の左右方向ほぼ中央に上方へ立設した首部と、この首部の上端から上方へ突出するように設けられた吊り下げ用のフックとからなる衣類用ハンガーにおいて、前記左右一対の肩部及び首部を覆うことにより該肩部の前後方向の幅よりも大きな幅を有する肩部を構成するためのカバー部材を前記ハンガー本体に対して着脱自在に構成し、前記カバー部材を、前記ハンガー本体の首部を通して上方から被せることができる開口部を左右方向ほぼ中央に備えさせ、かつ、被せた状態において該首部の下端部を前後方向及び左右方向から覆う環状の首部用カバー部と、この首部用カバー部の左右両端からそれぞれ肩部を少なくとも上方及び前後方向から覆う肩部用カバー部とから構成し、前記首部用カバー部の内側に該首部の前後面に接当して該首部用カバー部の前後方向の位置決めを行うためのガイド部を備えさせてなる衣類用ハンガーのアタッチメントであってもよい。
左右一対の肩部用カバー部と首部用カバー部とから構成された１つのアタッチメントをハンガー本体に取り付けたり、取り外すことによって、衣料用ハンガーの左右一対の肩部の幅を広くしたり、元の状態にすることが迅速に行うことができる。しかも、左右一対の肩部及び首部をアタッチメントにて覆うことによって、ハンガー本体自体の強度アップをも図ることができる。
【０００６】
前記首部の後面の左右両側の一部を覆うための後側部を前記首部用カバー部に備えさせることによって、ハンガー本体へアタッチメントを保持させる保持力をアップさせることができる。
【０００７】
前記カバー部材の肩部用カバー部の下端部分の前後方向の幅を、他の部分の前後方向の幅よりも幅広に構成することによって、衣類の肩部先端に肩部用カバー部の下端部分をフィットさせ易く、位置決めがより確実に行える。
【０００８】
前記カバー部材の首部用カバー部の前面に、カードを上方から挿入して係止保持可能な左右一対の係止部を備えさせることによって、カードを紐などを用いて衣類のボタンなどに引っ掛けて保持させることが不要になる。
【０００９】
左右一対の肩部と、これら肩部の左右両側の下端同士を連結する連結部とからなるハンガー本体と、このハンガー本体の左右方向ほぼ中央に上方へ立設した首部と、この首部の上端から上方へ突出するように設けられた吊り下げ用のフックとからなる衣類用ハンガーにおいて、前記左右一対の肩部及び首部を覆うことにより該肩部の前後方向の幅よりも大きな幅を有する肩部を構成するためのカバー部材を前記ハンガー本体に対して着脱自在に設け、前記カバー部材を、前記ハンガー本体に対して上方から抱きつかせて保持可能となる左右一対の肩部用カバー部と、これら肩部用カバー部同士を連結して前記首部の一部を覆って左右方向及び上下方向の位置決めを行うための首部用カバー部とから構成した衣類用ハンガーであってもよい。
【発明の効果】
【００１０】
左右一対の肩部用カバー部と首部用カバー部とを一体化して１つのアタッチメントを構成し、その１つのアタッチメントをハンガー本体に取り付けたり、取り外すことによって、衣料用ハンガーの左右一対の肩部の幅を広くしたり、元の状態にすることが迅速に行うことができ、在庫管理が簡単でかつ着脱が容易に行える衣類用ハンガーのアタッチメント及び衣類用ハンガーを提供することができる。しかも、左右一対の肩部及び首部をアタッチメントにて覆うことによって、ハンガー本体自体の強度アップをも図ることができ、耐久面において有利になる。
【００１１】
首部の後面の左右両側の一部を覆うための後側部を前記首部用カバー部に備えさせることによって、ハンガー本体へアタッチメントを保持させる保持力をアップさせることができ、取り付けたアタッチメントがハンガー本体から外れることを確実に阻止することができ、信頼性の高い商品とすることができる。
【００１２】
カバー部材の肩部用カバー部の下端部分の前後方向の幅を、他の部分の前後方向の幅よりも幅広に構成することによって、衣類の肩部先端に肩部用カバー部の下端部分をフィットさせ易く、位置決めがより確実に行え、衣類の型崩れ効果を長期間に渡って発揮させることができる。
【００１３】
カバー部材の首部用カバー部の前面に、カードを上方から挿入して係止保持可能な左右一対の係止部を備えさせることによって、カードを紐などを用いて衣類のボタンなどに引っ掛けて保持させることが不要になり、カード装着を容易迅速に行えるだけでなく、客がカードに引っ掛かってカードを離脱させてしまうことを防止することができる。
【発明を実施するための最良の形態】
【００１４】
図１に、衣料用ハンガー１にそれの肩部の前後方向の幅を大きくするためのアタッチメント２を装着したものを示している。前記アタッチメント２は、プラスチック（合成樹脂）材で作製する他、木材や金属などで作製することができる。
【００１５】
前記衣料用ハンガー１は、プラスチック（合成樹脂）材で作製され、図２（ａ）に示すように、左右中央部側ほど上方に位置する緩やかな円弧を描いた傾斜姿勢で板状の左右一対の肩部３，３と、これら肩部３，３の左右両側の下端同士をほぼ一直線状に連結する板状の連結部４とからなるハンガー本体５と、このハンガー本体５の左右方向ほぼ中央に上方へ立設した首部６と、この首部６の上端から上方へ突出するように設けられた吊り下げ用のフック７とから構成している。前記衣料用ハンガー１は、プラスチック（合成樹脂）材で作製することが好ましいが、場合によっては木材や金属などで作製してもよい。
【００１６】
前記肩部３，３及び連結部４を板状にすることにより、軽量化を図ることができるが、筒状や中身が詰まった棒状などであってもよい。ここでは前記肩部３，３の前後方向の幅寸法を左右方向両端側ほど幅広に構成しているが、同一寸法にて構成することもできるし、一部のみ幅広となるように構成してもよい。
又、図２（ａ）に示すように、前記首部６をそれの中心部に前後方向に貫通する貫通孔６Ａが形成された前後方向視（正面視）においてほぼ逆台形状の環状部材から構成している。又、図３に示すように、前記フック７を、前記首部６の前後方向の一対の壁６Ｂ，６Ｂ間に形成された空間６Ｃ内に収納できるように構成してあり、このようにフック７を収納した状態にすることによって、貫通孔６Ａに手を入れて首部６の上端を握ってハンガーに吊り下げられた衣類を容易に移動させることができるようにしているが、フック７は収納できない固定式のものであってもよい。又、前記首部６を、貫通孔６Ａの無い板状などに構成して実施してもよい。図２（ａ），（ｂ）に示す８は、ズボンなどを挟み込んで連結部４に固定するための挟持部であるが、具体構成は自由に変更可能であり、場合によっては無くてもよい。
【００１７】
前記アタッチメント２は、プラスチック（合成樹脂）材により一体成形され、図１及び図２（ａ），（ｂ）に示すように、前記左右一対の肩部３，３及び首部６を覆うことにより該肩部３，３の前後方向の幅よりも大きな肩部を構成するためのカバー部材９を前記ハンガー本体５に対して着脱自在に構成し、前記カバー部材９を、前記ハンガー本体５に対して上方から抱きつかせることにより保持可能となる下方開放型の断面形状ほぼ逆Ｕ字状の左右一対の肩部用カバー部１０，１０と、これら肩部用カバー部１０，１０同士を連結して前記首部６を少なくとも前面、左右側面、上面を覆って左右方向及び上下方向の位置決めを行うための首部用カバー部１１とから構成している。
【００１８】
詳述すれば、前記首部用カバー部１１は、首部６の前面を覆う前板部１１Ａと、首部６の上端を覆う天板部１１Ｂと、首部６の左右両側面を覆う側板部１１Ｃ，１１Ｃとからなり、前記天板部１１Ｂに前記フック７を逃がすための切欠部１１Ｋを形成している。又、前記首部６の後面の左右両側の一部を覆うための左右一対の後側部１１Ｄ，１１Ｄを、前記首部用カバー部１１に一体的に備えさせることによって、ハンガー本体へアタッチメントを保持させる保持力をアップさせることができる。
又、前記各肩部用カバー部１０は、前記側板部１１Ｃから左右方向へ延びる天板部１０Ａと、前記前板部１１Ａの下端部から左右方向へ延びる前板部１１Ｂと、前記後側部１１Ｄから左右方向へ延びる後板部１０Ｃとからなり、前記肩部用カバー部１０の下端部分、つまり天板部１０Ａの前後方向の幅Ｔを、他の部分の前後方向の幅ｔよりも幅広に構成することによって、衣類の肩部先端に肩部用カバー部１０の下端部分１０Ｄをフィットさせ易く、位置決めがより確実に行えるようにしてもよいが、同一の幅から構成することもできる。
【００１９】
前記カバー部材９の首部用カバー部１１の前面に、カード１２を上方から挿入して係止保持可能な左右一対の係止部１３，１３を備えさせることによって、カード１２を紐などを用いて衣類のボタンなどに引っ掛けて保持させることが不要になる利点がある。前記カード１２は、商品（衣類）についての商品説明を記載することが考えられるが、他の目的で使用してもよい。
【００２０】
このように構成されたアタッチメント２を衣料用ハンガー１に装着する場合を説明すれば、図４（ａ）に示すように、上着Ｘ及びズボンＹを衣類用ハンガー１に掛けている状態を示し、この状態から上着Ｘを少し衣類用ハンガー１から上方へ移動させながら、アタッチメント２を正面又は斜め上方から嵌合するまで被せていく。そして、アタッチメント２を衣料用ハンガー１に嵌合させた状態を図４（ｂ）に示している。アタッチメント２を装着した後は、店舗などに展示し、購入者がその衣類を購入すると、衣類用ハンガー１に嵌合したアタッチメント２を斜め上方に抜き外してから、前述のようにフック７を首部６に収納し、衣類を袋状のカバーにて覆ってから購入者に渡すようにしている。
【００２１】
前記カバー部材９を、図５（ａ），（ｂ）及び図６に示すように構成してもよい。つまり、前記ハンガー本体５の首部６を通して上方から被せることができる開口部Ｋを左右方向ほぼ中央に備えさせ、かつ、被せた状態において該首部６の下端部を前後方向及び左右方向から覆う環状で板状の首部用カバー部１４と、この首部用カバー部１４の左右両端からそれぞれ肩部を少なくとも上方及び前後方向から覆う下方開放型の断面形状がほぼ逆Ｕ字状に構成された左右一対の肩部用カバー部１５，１５とから構成し、前記首部用カバー部１４の内側に該首部６の前後面に接当して該首部用カバー部１４の前後方向の位置決めを行うための前後一対のガイド部１６，１６を備えさせている。前記ガイド部１６，１６の下端には、下側ほど前後方向外方側に位置して外拡がりとなるテーパー部１６Ａ，１６Ａを備えさせており、首部用カバー部１４に衣類用ハンガー１を挿入するときに、挿入位置が多少ずれたとしても、テーパー部１６Ａ，１６Ａにて接当案内することで、首部用カバー部１４に衣類用ハンガー１を容易かつスムーズに挿入できるようにしているが、無くてもよい。
【００２２】
前記首部用カバー部１４は、首部６の前面を覆う前板部１４Ａと、首部６の後面を覆う後板部１４Ｂと、首部６の左右両側面を覆う縦向きの側板部１４Ｃ，１４Ｃとからなっている。又、前記各肩部用カバー部１５は、前記側板部１４Ｃから左右方向へ延びる天板部１５Ａと、前記前板部１４Ａの下端部から左右方向へ延びる前板部（図では見えていない）と、前記後板部１４Ｂから左右方向へ延びる後板部１５Ｂとからなり、前述同様に肩部用カバー部１５の下端部分、つまり天板部１５Ａの前後方向の幅を、他の部分の前後方向の幅よりも幅広に構成することによって、衣類の肩部先端に肩部用カバー部１５の下端部分１５Ｄをフィットさせ易く、位置決めがより確実に行えるようにしてもよいが、同一の幅から構成することもできる。説明していない部分は、図１〜図４までのものと同一である。
【００２３】
又、前記カバー部材９を、図７（ａ），（ｂ）に示すように構成してもよい。つまり、左右両側に前述した左右一対の肩部用カバー部１０，１０を備え、それら肩部用カバー部１０，１０の後板部１０Ｃ，１０Ｃ同士を連結する縦板部１０Ｅと、この縦板部１０Ｅの上端から上方に延出されるとともに前記首部６の貫通孔６Ａを通して該首部６の下端部に係止保持可能なフック部１７を備えさせている。説明していない部分は、図１〜図４までのものと同一である。
【図面の簡単な説明】
【００２４】
【図１】アタッチメントを装着した前方斜めから見た衣類用ハンガーの斜視図である。
【図２】衣類用ハンガーを後から見た斜視図であり、（ａ）はアタッチメントを装着する直前の状態を示し、（ｂ）はアタッチメントを装着した状態を示している。
【図３】衣類用ハンガーのフックの取付部の断面図である。
【図４】衣類用ハンガーに衣類を掛けた正面図であり、（ａ）はアタッチメントを装着する直前の状態を示し、（ｂ）はアタッチメントを装着した状態を示している。
【図５】他のアタッチメントの斜視図であり、（ａ）はアタッチメントを装着する直前の状態を示し、（ｂ）はアタッチメントを装着した状態を示している。
【図６】図５で示したアタッチメントを衣類用ハンガーに装着した首部の断面図である。
【図７】他のアタッチメントの斜視図であり、（ａ）はアタッチメントを装着する直前の状態を示し、（ｂ）はアタッチメントを装着した状態を示している。
【符号の説明】
【００２５】
１  衣類用ハンガー
２  アタッチメント
３  肩部
４  連結部
５  ハンガー本体
６Ａ  貫通孔
６Ｂ  壁
６Ｃ  空間
６  首部
７  フック
８  挟持部
９  カバー部材
１０Ｄ  下端部分
１０  肩部用カバー部
１０Ｃ  後板部
１０Ａ  天板部
１０Ｅ  縦板部
１１Ｄ  後側部
１１  首部用カバー部
１１Ｋ  切欠部
１１Ａ  前板部
１１Ｂ  前板部
１１Ｃ  側板部
１１Ｂ  天板部
１２  カード
１３  係止部
１４Ｂ  後板部
１４  首部用カバー部
１４Ａ  前板部
１４Ｃ  側板部
１５Ｄ  下端部分
１５  肩部用カバー部
１５Ｂ  後板部
１５Ａ  天板部
１７  フック部
１６  ガイド部
１６Ａ  テーパー部
Ｋ  開口部
Ｘ  上着
Ｙ  ズボン
Ｔ，ｔ  幅
【図１】
2006149968.tif 000003
【図２】
2006149968.tif 000004
【図３】
2006149968.tif 000005
【図４】
2006149968.tif 000006
【図５】
2006149968.tif 000007
【図６】
2006149968.tif 000008
【図７】
2006149968.tif 000009